(57)【要約】【課題】ノート型電子計算機にて外部電子計算機の画像を表示できるようにし、ノート型電子計算機の入力装置から外部電子計算機への入力をできるようにする。【解決手段】外部映像出力装置に映像出力信号を出力するためのインタフェースを、外部電子計算機からの映像入力信号のインタフェースとしても共用する切替器を備える入出力装置一体型の電子計算機を提供する。【選択図】図２
2007226723.tif 000002
【特許請求の範囲】
【請求項１】
外部映像出力装置に映像出力信号を出力するためのインタフェースを、外部電子計算機からの映像入力信号のインタフェースとしても共用する切替器を備える入出力装置一体型の電子計算機。
【請求項２】
外部映像出力装置に映像出力信号を出力するためのインタフェースを、自らの入力装置の入力信号を外部電子計算機への入力信号として出力するためのインタフェースとしても共用する切替器を備える入出力装置一体型の電子計算機。
【請求項３】
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、映像信号以外の他の仕様及び規格に既に割り当てられた信号線を、自らの入力装置の入力信号を外部電子計算機への入力信号として出力するための信号線として共用する外部入出力インタフェースを備える電子計算機。
【請求項４】
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、外部映像出力用信号の未使用ピンおよび予約ピンを、映像信号以外の他の仕様及び規格に既に割り当てられた信号と、外部電子計算機への入力信号との、切替装置制御信号として使用する外部入出力インタフェースを備える電子計算機。
【請求項５】
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、外部映像出力用信号の未使用ピンおよび予約ピンを、自らの入力装置の入力信号を外部電子計算機への入力信号として出力するための信号線とする外部入出力インタフェースを備える電子計算機。
【請求項６】
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、切替部が、外部電子計算機の接続を認識して本体の入出力インタフェースから、接続された外部電子計算機の入出力インタフェースに切り替えることを特徴とする電子計算機。
【請求項７】
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
切替部が、本体の出力装置を外部電子計算機の出力装置として使用する場合に、本体の入出力インタフェースから接続された電子計算機の入出力インタフェースに切り替える切替スイッチを備える電子計算機。
【請求項８】
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、切替部が、映像信号以外の他の仕様および規格に既に割り当てられた信号を、外部電子計算機接続の検出信号として使用することを特徴とする電子計算機。
【請求項９】
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、切替器が、外部映像出力用信号の未使用ピン及び予約ピンを、外部電子計算機接続の検出信号として使用することを特徴とする電子計算機。
【請求項１０】
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、外部映像出力用信号の未使用ピン、予約ピン、もしくは他の仕様および規格に既に割り当てられた信号を、外部電子計算機が接続された場合に、外部電子計算機が、映像信号出力および自らへの入力信号の入力を有効にする切替器制御信号として使用する外部入出力インタフェースを備える電子計算機。
【請求項１１】
複数の長さの異なる検出端子挿入時の、個々の端子が接触するまでの時間差を利用して、接続の検出若しくは信号の入出力の切替を行う入出力インタフェースを備える電子計算機。
【請求項１２】
入出力装置一体型の電子計算機の外部映像出力装置への出力状態の決定と、外部電子計算機の映像出力からの入力状態の決定と、外部電子計算機の映像出力信号の入力とを、複数の長さの異なる検出端子で夫々行う請求項１１に記載の電子計算機。
【請求項１３】
請求項１〜１２のうちのいずれか一つに記載の電子計算機で利用される入出力インタフェースに対応する入出力インタフェースコネクタ。
【請求項１４】
請求項１〜１２のうちのいずれか一つに記載の電子計算機で利用される入出力インタフェースに対応する入出力インタフェースコネクタで接続される外部電子計算機。
【請求項１５】
請求項１４に記載の外部電子計算機以外の入出力インタフェースコネクタからの挿入を不可能とするキーを有する入出力インタフェースを備える電子計算機。
【請求項１６】
請求項１〜１２のうちのいずれか一つに記載の電子計算機以外の入出力インタフェースコネクタへの挿入を不可能とするキーを有する入出力インタフェースを有する外部電子計算機。
【請求項１７】
請求項１５又は請求項１６に記載の入出力インタフェースのキーを、信号端子と統合している外部入出力インタフェースを備える電子計算機。
【請求項１８】
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
外部映像出力装置への出力と外部電子計算機からの入力とを行う入出力インタフェースから分離された、自らの入力装置の入力信号を外部電子計算機への入力信号として出力するためと、外部電子計算機の接続を検出する信号のための入出力インタフェースを備える電子計算機。
【請求項１９】
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
外部映像出力装置への出力と外部電子計算機からの入力とを行う入出力インタフェースと、自らの入力装置の入力信号を外部電子計算機への入力信号として出力するためと外部電子計算機の接続を検出する信号のための入出力インタフェースとを、統合して備える電子計算機。
【請求項２０】
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
自らの入力装置の入力信号を外部電子計算機へ入力信号として出力するためのインタフェースに対して、内蔵機器若しくは外部接続の機器のインタフェースを、集線装置及び切替器によって統合した、外部電子計算機への入力装置インタフェースを備える電子計算機。
【請求項２１】
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機に対して、
外部映像出力装置への出力と外部電子計算機からの入力とを行うインタフェースと、上記電子計算機の入力装置の入力信号を外部電子計算機への入力信号として出力するためと外部電子計算機の接続を検出する信号のためのインタフェースとを有する外部電子計算機中継器。
【請求項２２】
双方向データ伝送を切り替える場合に、複数の長さの異なる検出端子挿入時の、個々の端子が接触するまでの時間差を利用して、
ある検出端子が接続された場合に一方のデータの出力を停止し、
その後に別の検出端子が接続された場合にもう一方のデータ出力を開始することによって、データ伝送方向を切り替えるインタフェース。
【請求項２３】
双方向データ伝送を切り替える場合に、複数の長さの異なる検出端子挿入時の、個々の端子が接触するまでの時間差を利用して、
ある検出端子が接続された場合に一方のデータの出力を停止し、
その後に別の検出端子が接続された場合にもう一方のデータ出力を開始することによって、データ伝送方向を切り替える双方向データ伝送切替方法。
【発明の詳細な説明】
【技術分野】
【０００１】
本発明は、外部電子計算機の表示および入力操作が可能な入出力装置一体型電子計算機に関する。
【背景技術】
【０００２】
デスクトップ型電子計算機では搭載した処理装置や記憶装置が経年によって陳腐化した場合、外部のその液晶ディスプレイなどの映像表示装置やキーボード、タッチパッド、マウス、トラックボールなどの入力装置は機能的に十分使用できることが多い。従ってその場合、デスクトップ型電子計算機の本体のみが交換され、映像表示装置や入力装置は継続利用されることが可能である。
【０００３】
しかしながら、従来のノート型電子計算機では、搭載した処理装置や記憶装置が経年によって陳腐化した場合、その液晶ディスプレイなどの映像表示装置やキーボード、タッチパッド、マウス、トラックボールなどの入力装置は機能的に十分使用できることが多いにもかかわらず、ノート型電子計算機全体が使用され得なくなってしまう。
【０００４】
また、外出先ではノート型電子計算機を、帰還元（事務所など）ではデスクトップ型電子計算機を使用する場合、ノート型電子計算機が映像表示装置および入力装置を有しているにもかかわらず、デスクトップ型電子計算機のために別途映像表示装置および入力装置が必要となる。ネットワークログイン機能にてデスクトップ型電子計算機にログオンすることによってノート型電子計算機でも仮想的に外部電子計算機（デスクトップ型電子計算機）の映像を表示もしくは入力する操作をすることは可能である。しかし、ソフトウェアの用意およびその設定、ネットワークの設定など、その設定等が煩雑である。更に、ネットワークを介して接続しているため、その接続はネットワークの状況に依存して不安定であり、画面の表示、入力操作に遅延が生じる。
【０００５】
なお、特許文献１は、情報処理装置および情報処理装置用の情報格納装置、即ち、表示装置から着脱可能な電子計算機を開示する。この技術は、電子計算機本体の小型化および軽量化のための技術である。特許文献２は、入力装置の一部を着脱可能にする電子計算機を開示する。特許文献３は、ノートパソコンの液晶ディスプレイ信号線連接構造を開示し、該構造は、液晶ディスプレイの信号線とマザーボードの連接、分離を簡単に行えるようにするためのものである。更に、特許文献４は、ドッキングステーションを開示し、該ドッキングステーションは、電子機器を接続することにより電子機器の機能を拡張するための機能拡張装置を含む。
【特許文献１】特開２００４−２４６６３４公報
【特許文献２】特開平５−９４２５０号公報
【特許文献３】実用新案登録第３０６４５８８号公報
【特許文献４】特許第３２８３８５３号公報
【発明の開示】
【発明が解決しようとする課題】
【０００６】
上述の問題点に対応するためには、ノート型電子計算機にて外部電子計算機の画像を表示できるようにし、ノート型電子計算機の入力装置から外部電子計算機への入力をできるようにする必要がある。
【課題を解決するための手段】
【０００７】
本発明は上記の課題を解決するために為されたものである。本発明に係る請求項１に記載の電子計算機は、
外部映像出力装置に映像出力信号を出力するためのインタフェースを、外部電子計算機からの映像入力信号のインタフェースとしても共用する切替器を備える入出力装置一体型の電子計算機である。
【０００８】
本発明に係る請求項２に記載の電子計算機は、
外部映像出力装置に映像出力信号を出力するためのインタフェースを、自らの入力装置の入力信号を外部電子計算機への入力信号として出力するためのインタフェースとしても共用する切替器を備える入出力装置一体型の電子計算機である。
【０００９】
本発明に係る請求項３に記載の電子計算機は、
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、映像信号以外の他の仕様及び規格に既に割り当てられた信号線を、自らの入力装置の入力信号を外部電子計算機への入力信号として出力するための信号線として共用する外部入出力インタフェースを備える電子計算機である。
【００１０】
本発明に係る請求項４に記載の電子計算機は、
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、外部映像出力用信号の未使用ピンおよび予約ピンを、映像信号以外の他の仕様及び規格に既に割り当てられた信号と、外部電子計算機への入力信号との、切替装置制御信号として使用する外部入出力インタフェースを備える電子計算機である。
【００１１】
本発明に係る請求項５に記載の電子計算機は、
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、外部映像出力用信号の未使用ピンおよび予約ピンを、自らの入力装置の入力信号を外部電子計算機への入力信号として出力するための信号線とする外部入出力インタフェースを備える電子計算機である。
【００１２】
本発明に係る請求項６に記載の電子計算機は、
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、切替部が、外部電子計算機の接続を認識して本体の入出力インタフェースから、接続された外部電子計算機の入出力インタフェースに切り替えることを特徴とする電子計算機である。
【００１３】
本発明に係る請求項７に記載の電子計算機は、
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
切替部が、本体の出力装置を外部電子計算機の出力装置として使用する場合に、本体の入出力インタフェースから接続された電子計算機の入出力インタフェースに切り替える切替スイッチを備える電子計算機である。
【００１４】
本発明に係る請求項８に記載の電子計算機は、
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、切替部が、映像信号以外の他の仕様および規格に既に割り当てられた信号を、外部電子計算機接続の検出信号として使用することを特徴とする電子計算機である。
【００１５】
本発明に係る請求項９に記載の電子計算機は、
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、切替器が、外部映像出力用信号の未使用ピン及び予約ピンを、外部電子計算機接続の検出信号として使用することを特徴とする電子計算機である。
【００１６】
本発明に係る請求項１０に記載の電子計算機は、
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
本体の出力装置を外部電子計算機の出力装置として使用する場合に、外部映像出力用信号の未使用ピン、予約ピン、もしくは他の仕様および規格に既に割り当てられた信号を、外部電子計算機が接続された場合に、外部電子計算機が、映像信号出力および自らへの入力信号の入力を有効にする切替器制御信号として使用する外部入出力インタフェースを備える電子計算機である。
【００１７】
本発明に係る請求項１１に記載の電子計算機は、
複数の長さの異なる検出端子挿入時の、個々の端子が接触するまでの時間差を利用して、接続の検出若しくは信号の入出力の切替を行う入出力インタフェースを備える電子計算機である。
【００１８】
本発明に係る請求項１２に記載の電子計算機は、
入出力装置一体型の電子計算機の外部映像出力装置への出力状態の決定と、外部電子計算機の映像出力からの入力状態の決定と、外部電子計算機の映像出力信号の入力とを、複数の長さの異なる検出端子で夫々行う請求項１１に記載の電子計算機である。
【００１９】
本発明に係る請求項１３に記載の入出力インタフェースコネクタは、
請求項１〜１２のうちのいずれか一つに記載の電子計算機で利用される入出力インタフェースに対応する入出力インタフェースコネクタである。
【００２０】
本発明に係る請求項１４に記載の外部電子計算機は、
請求項１〜１２のうちのいずれか一つに記載の電子計算機で利用される入出力インタフェースに対応する入出力インタフェースコネクタで接続される外部電子計算機。
【００２１】
本発明に係る請求項１５に記載の電子計算機は、
請求項１４に記載の外部電子計算機以外の入出力インタフェースコネクタからの挿入を不可能とするキーを有する入出力インタフェースを備える電子計算機である。
【００２２】
本発明に係る請求項１６に記載の外部電子計算機は、
請求項１〜１２のうちのいずれか一つに記載の電子計算機以外の入出力インタフェースコネクタへの挿入を不可能とするキーを有する入出力インタフェースを有する外部電子計算機である。
【００２３】
本発明に係る請求項１７に記載の電子計算機は、
請求項１５又は請求項１６に記載の入出力インタフェースのキーを、信号端子と統合している外部入出力インタフェースを備える電子計算機である。
【００２４】
本発明に係る請求項１８に記載の電子計算機は、
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
外部映像出力装置への出力と外部電子計算機からの入力とを行う入出力インタフェースから分離された、自らの入力装置の入力信号を外部電子計算機への入力信号として出力するためと、外部電子計算機の接続を検出する信号のための入出力インタフェースを備える電子計算機である。
【００２５】
本発明に係る請求項１９に記載の電子計算機は、
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
外部映像出力装置への出力と外部電子計算機からの入力とを行う入出力インタフェースと、自らの入力装置の入力信号を外部電子計算機への入力信号として出力するためと外部電子計算機の接続を検出する信号のための入出力インタフェースとを、統合して備える電子計算機である。
【００２６】
本発明に係る請求項２０に記載の電子計算機は、
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機であって、
自らの入力装置の入力信号を外部電子計算機へ入力信号として出力するためのインタフェースに対して、内蔵機器若しくは外部接続の機器のインタフェースを、集線装置及び切替器によって統合した、外部電子計算機への入力装置インタフェースを備える電子計算機である。
【００２７】
本発明に係る請求項２１に記載の外部電子計算機中継器は、
外部映像出力装置に映像出力信号を出力するためのインタフェースを、
外部電子計算機からの映像入力信号のインタフェースとして共用し、更に、
自らの入力装置の入力信号を外部電子計算機への入力信号として出力するためのインタフェースとして共用する切替器を備える入出力装置一体型の電子計算機に対して、
外部映像出力装置への出力と外部電子計算機からの入力とを行うインタフェースと、上記電子計算機の入力装置の入力信号を外部電子計算機への入力信号として出力するためと外部電子計算機の接続を検出する信号のためのインタフェースとを有する外部電子計算機中継器である。
【００２８】
本発明に係る請求項２２に記載のインタフェースは、
双方向データ伝送を切り替える場合に、複数の長さの異なる検出端子挿入時の、個々の端子が接触するまでの時間差を利用して、
ある検出端子が接続された場合に一方のデータの出力を停止し、
その後に別の検出端子が接続された場合にもう一方のデータ出力を開始することによって、データ伝送方向を切り替えるインタフェースである。
【００２９】
本発明に係る請求項２３に記載の双方向データ伝送切替方法は、
双方向データ伝送を切り替える場合に、複数の長さの異なる検出端子挿入時の、個々の端子が接触するまでの時間差を利用して、
ある検出端子が接続された場合に一方のデータの出力を停止し、
その後に別の検出端子が接続された場合にもう一方のデータ出力を開始することによって、データ伝送方向を切り替える双方向データ伝送切替方法である。
【発明の効果】
【００３０】
本発明を利用することによって、ノート型電子計算機にて外部電子計算機の画像を表示できるようになる。更に、ノート型電子計算機の入力装置から外部電子計算機への入力ができるようになる。
【発明を実施するための最良の形態】
【００３１】
［第１の実施形態］
図２は、本発明の第１の実施形態に係る電子計算機２０１の斜視図（一部分解図）である。図１は、第１の実施形態と対比されるべき従来のノート型電子計算機の斜視図（一部分解図）である。
【００３２】
従来のノート型電子計算機２０１（図１）は内部に映像出力切替器２０６を有しており、切替信号Ａ２１８によって、映像入力信号Ａ２０８を映像出力信号Ａ２１６として本体の映像出力装置２０２に出力するか、映像出力信号Ｂ２１０としてインタフェースおよびコネクタを経由して外部映像出力装置２１２に出力するか、を選択している。
【００３３】
これに対して、第１の実施形態に係る電子計算機２０１は、映像入出力切替器２０６の外部映像出力装置２１２と接続するインタフェース部分に映像入力信号Ｂ２１４が入力可能となっている。更にそのインタフェースの入出力の切替を切替信号Ｂ２２０で行うことが可能となっている。
【００３４】
第１の実施形態に係る電子計算機２０１の映像を外部映像出力装置２１２に表示する場合、切替信号Ｂ２２０にて映像入出力切替器２０６の外部映像出力装置２１２と接続するインタフェースを“出力モード”とし、切替信号Ａ２１８を操作して映像入力信号Ａ２０８を映像出力信号Ｂ２１０として外部映像出力装置２１２に出力するようにすれば、対応可能となる。
【００３５】
外部電子計算機２２２の映像を電子計算機２０１本体の映像出力装置に表示させる場合、切替信号Ｂ２２０にて外部電子計算機２２２と接続するインタフェースを“入力モード”とし、切替信号Ａ２１８を操作して映像入力信号Ｂ２１４を映像出力信号Ａ２１６として電子計算機２０１本体の映像出力装置２０２に出力するようにすれば、対応可能となる。上記インタフェースが“入力モード”となっている場合には切替信号２２０にて自動的に映像入力信号Ｂ２１４を映像出力信号Ａ２１６として電子計算機２０１本体の映像出力装置２０２に出力するようにしてもよい。
【００３６】
［第２の実施形態］
図３は、本発明の第２の実施形態に係る電子計算機２０１の斜視図（一部分解図）である。第２の実施形態に係る電子計算機２０１は、電子計算機本体の入力装置２０４の出力を外部電子計算機２２２へ入力する機能を備える。
【００３７】
第２の実施形態に係る電子計算機２０１は、入力装置出力切替器及び映像入出力切替器２０６に、本体の入力装置入力２２４が接続されており、切替信号Ｂ２２０によって、本体への入力装置出力Ａ２２６に出力するか、外部電子計算機２２２への入力装置出力Ｂ２２８に出力するかを選択することが可能となっている。
【００３８】
電子計算機２０１本体を操作する場合には、切替信号Ｂ２２０を操作して入力装置入力２２４を入力装置出力Ａ２２６として出力し、本体の入力装置コントローラに入力するようにすれば、対応可能となる。外部電子計算機２２２を操作する場合には、切替信号Ｂ２２０を操作して入力装置入力２２４を入力装置出力Ｂ２２８として出力し、外部電子計算機２２２の入力装置コントローラに入力するようにすれば、対応可能となる。
【００３９】
［第３の実施形態］
第３の実施形態は、ノート型パソコンなどの電子計算機における外部映像出力インタフェースに既に割り当てられた信号に対して、外部電子計算機で使用する入力装置入力信号を割り当てることにより、形成されるインタフェース及び電子計算機に関するものである。なお、図４は、従来の一つのインタフェースであるＶＧＡコネクタに割り当てられた端子および信号の割り当ての一覧表である。
【００４０】
これに対して、図５は、第３の実施形態に係るＶＧＡ（ＶＥＳＡ  ＤＤＣ）端子配置の一覧表である。図５では、ＰＳ／２のＤＡＴＡおよびＣＬＫの入力装置信号を、端子１２のＤＤＣ−ＳＤＡおよび端子１５のＤＤＣ−ＳＣＬに、割り当てる。
【００４１】
この場合、電子計算機２０１の入力装置入力２２４を外部電子計算機２２２に接続することが可能となる。なお、外部映像出力装置２１２を接続した場合には、電子計算機２０１から映像自体は表示させることは可能であるが、ＳＤＡおよびＳＣＬ信号は使用できないため、ＤＤＣインタフェースではデータ伝送を行うことができない。
【００４２】
［第４の実施形態］
第４の実施形態は、ノート型パソコンなどの電子計算機における外部映像出力インタフェースで未使用もしくは予約として割り当てられた信号に対して、外部電子計算機で使用する入力装置入力信号およびＤＤＣインタフェースを切替で割り当てることとして、形成されるインタフェース及び電子計算機に関するものである。図６は、本発明の第４の実施形態に係るＶＧＡ（ＶＥＳＡ  ＤＤＣ）端子配置の一覧表である。
【００４３】
図６では、ＰＳ／２のＤＡＴＡ及びＣＬＫの入力装置信号とＤＤＣインタフェースのＳＤＡ及びＳＣＬとを、端子４の予約信号および端子１５の通常未使用であるＩＤ０信号に割り当てる。
【００４４】
この場合、電子計算機２０１本体を外部電子計算機２２２の映像表示装置として使用するときには、まず端子４および端子１５をＤＤＣインタフェースとして割り当て、これにより外部電子計算機２２２が電子計算機２０１の映像表示装置の情報を獲得し、その後端子４および端子１５をＰＳ／２のＤＡＴＡおよびＣＬＫとして割り当てる。このようにすれば、電子計算機２０１の入力装置入力を外部電子計算機２２２に接続することが可能となる。
【００４５】
尚この場合には、電子計算機２０１の入力装置入力を外部電子計算機２２２に接続すること、及びＤＤＣインタフェースにてデータ伝送することが可能となり、電子計算機２０１を外部映像出力装置２１２に接続した場合に電子計算機２０１が映像を表示させることは可能である。但し、外部電子計算機２２２を接続した場合、電子計算機２０１はＤＤＣインタフェースおよびＰＳ／２インタフェースを適宜切り替える必要があり電子計算機２０１に搭載された映像入出力切替器２０６の構造はやや複雑になる。
【００４６】
［第５の実施形態］
第５の実施形態は、ノート型パソコンなどの電子計算機における外部映像出力インタフェースで未使用もしくは予約として割り当てられた信号に対して、外部電子計算機で使用する入力装置信号を割り当てることにより、形成されるインタフェース及び電子計算機に関するものである。図７は、本発明の第５の実施形態に係るＶＧＡ（ＶＥＳＡ  ＤＤＣ）端子配置の一覧表である。
【００４７】
図７では、ＰＳ／２のＤＡＴＡおよびＣＬＫの入力装置信号を、端子４の予約信号および端子１５の通常未使用であるＩＤ０信号に割り当てる。この場合、電子計算機２０１の入力装置入力を外部電子計算機２２２に接続することが可能となる。
【００４８】
更にこの場合、電子計算機２０１の入力装置入力を外部電子計算機２２２に接続すること、及びＤＤＣインタフェースにてデータ伝送することが可能となり、電子計算機２０１と外部映像出力装置２１２を接続した場合、電子計算機２０１は、従来の端子配置との親和性を保ちながら、映像を表示させることが可能となる。
【００４９】
［第６の実施形態］
図８は、本発明の第６の実施形態に係る電子計算機２０１の斜視図（一部分解図）である。第６の実施形態に係る電子計算機２０１では、外部映像出力インタフェースに対して外部電子計算機の接続を検出する入力信号を割り当て、その信号を映像入出力切替器２０６の切替信号Ｂ２２０に接続するように設定する。このことによって自動的に映像入出力切替器２０６の入出力を切り替えるようにされている。
【００５０】
先ず第６の実施形態に係る電子計算機２０１では、外部映像出力インタフェースのある端子に対して、外部電子計算機２２２の接続を検出する入力信号が割り当てられる。更に、図８に示すように、この入力信号は映像入出力切替器２０６の切替信号Ｂ２２０に接続されプルアップ抵抗が付加される。また、外部電子計算機２２２における対応する端子はグラウンドに接続される。
【００５１】
上記第６の実施形態に係る電子計算機２０１では、外部電子計算機２２２が外部映像出力インタフェースに接続されると“Ｈ”状態であった切替信号Ｂ２２０が“Ｌ”状態に変化する。このことによって、映像入出力切替器２０６の入出力インタフェースが“入力モード”に自動的に切り替わる。
【００５２】
そして、このとき外部電子計算機２２２の映像入力信号Ｂ２１４が電子計算機２０１の映像出力装置２０２に映像出力信号Ａ２１６を経由して表示され、一方、入力装置入力２２４は入力装置出力Ｂ２２８として出力される。
【００５３】
また、上記第６の実施形態に係る電子計算機２０１では、外部電子計算機２２２が外部映像出力インタフェースに接続されないと、“Ｌ”状態であった切替信号Ｂ２２０が“Ｈ”状態に変化する。このことによって、映像入出力切替器２０６の入出力インタフェースが“出力モード”に自動的に切り替わる。
【００５４】
そして、このとき電子計算機２０１の映像入力信号Ａ２０８が外部映像出力装置２１２に映像出力信号Ｂ２１０を経由して表示され、一方、入力装置入力２２４は入力装置出力Ａ２２６として出力される。
【００５５】
［第７の実施形態］
図９及び図１０は、本発明の第７の実施形態に係る電子計算機２０１の斜視図（一部分解図）である。第７の実施形態は第６の実施形態とほぼ同様のものである。従って、両者の差異を中心に説明する。
【００５６】
第７の実施形態に係る電子計算機２０１では、映像入出力切替器２０６の切替信号Ｂ２２０に切替スイッチ２３０を設ける。このことによって、手動で映像入出力切替器２０６の入出力を切り替えられるようになる。
【００５７】
図９に示す電子計算機２０１では、映像入出力切替器２０６の切替信号Ｂ２２０に切替スイッチ２３０が付加されている。切替スイッチ２３０が「ＯＮ」にされると、“Ｈ”状態であった切替信号Ｂ２２０が“Ｌ”状態に変化する。このとき映像入出力切替器２０６の入出力インタフェースが“入力モード”に切り替わり、外部電子計算機２２２の映像入力信号Ｂ２１４が電子計算機２０１の映像出力装置２０２に映像出力信号Ａ２１６を経由して表示される。
【００５８】
切替スイッチ２３０が「ＯＦＦ」にされると、切替信号Ｂ２２０が“Ｈ”状態となる。このとき、切替信号Ａ２１８の操作を組み合わせることによって、映像入出力切替器２０６の入出力インタフェースを出力状態とせず、映像入力信号Ａ２０８が電子計算機２０１の映像出力装置２０２に映像出力信号Ａ２１６を経由して表示されることも可能となる。
【００５９】
一方、図１０に示す電子計算機２０１では、外部映像出力インタフェースのある端子に対して外部電子計算機２２２の接続を検出する入力信号が割り当てられている。この信号が映像入出力切替器２０６の切替信号Ｂ２２０に接続されることになるのであるが、その途中にプルアップ抵抗と切替スイッチ２３０とが付加されている。なお、外部電子計算機２２２の対応する端子はグラウンドに接続される。外部電子計算機２２２を電子計算機２０１の外部映像出力インタフェースに接続されると、切替スイッチ２３０が「ＯＮ」である場合、“Ｈ”状態であった切替信号Ｂ２２０が“Ｌ”状態に変化する。このとき映像入出力切替器２０６の入出力インタフェースが“入力モード”に切り替わり、外部電子計算機２２２の映像入力信号Ｂ２１４が電子計算機２０１の映像出力装置２０２に映像出力信号Ａ２１６を経由して表示される。
【００６０】
この状態で切替スイッチ２３０が「ＯＦＦ」にされると、切替信号Ｂ２２０が“Ｈ”状態に変化する。このとき、切替信号Ａ２１８の操作を組み合わせることによって、映像入出力切替器２０６の入出力インタフェースを出力状態とせず、映像入力信号Ａ２０８が電子計算機２０１の映像出力装置２０２に映像出力信号Ａ２１６を経由して表示されることも可能となる。
【００６１】
図１０に示す切替スイッチ２３０は、電子計算機２０１の外部に配置されてもよい。例えば、電子計算機と外部電子計算機２２２の間のインタフェース上もしくは外部電子計算機２２２上に配置されてもよい。
【００６２】
［第８の実施形態］
図１１は、本発明の第８の実施形態に係る電子計算機２０１の斜視図（一部分解図）である。第８の実施形態は、ノート型パソコンなどの電子計算機における外部映像出力インタフェースに既に割り当てられた信号に対して、外部電子計算機の接続を検出する入力信号を割り当て、その信号を映像入出力切替器の切替信号に接続することによって、映像入出力切替器の入出力を切替えるものである。
【００６３】
図１１に示す電子計算機２０１では、従来の外部映像出力インタフェースの端子９の＋５ＶＤＣに対して、外部電子計算機２２２の接続を検出する入力信号を割り当て、この信号を映像入出力切替器２０６の切替信号Ｂ２２０に接続し同時に５Ｖ電源へのプルアップ抵抗を付加する。外部電子計算機２２２の対応する端子はグラウンドに接続される。
【００６４】
この場合、外部電子計算機２２２を電子計算機２０１の外部映像出力インタフェースに接続することによって、“Ｈ”状態であった切替信号Ｂ２２０が“Ｌ”状態に変化する。このことによって、映像入出力切替器２０６の入出力インタフェースが“入力モード”に切り替わり、外部電子計算機２２２の映像入力信号Ｂ２１４が電子計算機２０１の映像出力装置２０２に映像出力信号Ａ２１６を経由して表示される。
【００６５】
図１２は、第８の実施形態に係るＶＧＡ（ＶＥＳＡ  ＤＤＣ）端子配置の一覧表である。図１２及び図１１に示すように、５Ｖ出力である端子９の＋５ＶＤＣに５Ｖ電源へのプルアップが付加され、映像入出力切替器２０６の切替信号Ｂ２２０に接続される。このことによって、外部映像出力が接続された場合は５Ｖが出力されるため、既存の外部映像出力インタフェースに対して親和性を保ちながら拡張することが可能となる
【００６６】
［第９の実施形態］
第９の実施形態は、ノート型パソコンなどの電子計算機における外部映像出力インタフェースで未使用もしくは予約として割り当てられた信号に対して、外部電子計算機の接続を検出する入力信号を割り当て、その信号を映像入出力切替器の切替信号に接続することによって、映像入出力切替器の入出力を切替えるものである。なお、第９の実施形態に係る電子計算機２０１の斜視図（一部分解図）は図１１に示すものと略同様となる。
【００６７】
図１３は、第９の実施形態に係るＶＧＡ（ＶＥＳＡ  ＤＤＣ）端子配置の一覧表である。第９の実施形態に係る電子計算機２０１では、従来の外部映像出力インタフェースの端子４の予約端子に対して、外部電子計算機２２２の接続を検出する入力信号を割り当て、この信号を映像入出力切替器２０６の切替信号Ｂ２２０に接続しプルアップ抵抗を付加する。外部電子計算機２２２の対応する端子はグラウンドに接続される。
【００６８】
この場合、外部電子計算機２２２を電子計算機２０１の外部映像出力インタフェースに接続することによって、Ｈ状態であった切替信号Ｂ２２０がＬ状態に変化する。このことによって、映像入出力切替器２０６の入出力インタフェースが“入力モード”に切り替わり、外部電子計算機２２２の映像入力信号Ｂ２１４が電子計算機２０１の映像出力装置２０２に映像出力信号Ａ２１６を経由して表示される。
【００６９】
第９の実施形態では、予約端子である端子４にプルアップを付加し映像入出力切替器２０６の切替信号Ｂ２１４に接続することによって、既存の外部映像出力インタフェースに対して親和性を保ちながら拡張することが可能となる。
【００７０】
［第１０の実施形態］
本発明の第１０の実施形態は、電子計算機における例えば外部映像出力インタフェース
を構成する端子及びコネクタに関するものである。図１４（１）は、従来の検出端子を有するコネクタの模式図、図１４（２）及び図１５は、本発明の第１０の実施形態に係る電子計算機における検出端子を有するコネクタの模式図である。本発明の第１０の実施形態は、長さの異なる複数の検出端子を使用することによって、それぞれの検出端子が接触するまでの時間の差を利用し、データ伝送等を行う信号やバスの状態を変化させる。
【００７１】
先ず、図１４（１）は、従来の検出端子を有するコネクタを模式的に示している。信号端子に比べて検出端子が短く挿入時に信号端子が先に接触するようになっている。そのため、検出端子が接触するまでに信号端子の接触はより安定した状態になっている。このような構造では、オスコネクタ側（右側）とメスコネクタ側（左側）との両方で信号出力を行う場合、信号端子が接触した時点で信号の衝突が発生し、データの破壊および装置の劣化、損傷若しくは破壊が発生するおそれがある。また、検出メス端子は信号端子と同じ長さであるため、信号端子が接触した時点から検出端子が接触するまでの時間が短い。
【００７２】
第１０の実施形態では、検出端子を有するコネクタを図１４（２）に示すような、異なる長さの複数の検出端子を有するコネクタとする。オスコネクタとメスコネクタのいずれも、検出端子Ａは信号端子より長く、検出端子Ｂは信号端子より短い。そのため、検出端子Ａが接触してから信号端子が接触するまでの時間が従来技術のものよりも長くなり、信号端子が接触してから検出端子Ｂが接触するまでの時間も従来技術のものよりも長くなる。
【００７３】
なお、コネクタ未接続の場合は、メスコネクタ側の信号が出力されていて、オスコネクタ側の信号は信号が出力されていないものとする。コネクタ接続時には、メスコネクタ側の信号が入力モードとされ、オスコネクタ側の信号が出力されるものとする。
【００７４】
図１５（１）に示すように、コネクタの接続が開始し検出端子Ａが接触すると、メスコネクタ側の入出力切替信号が制御され入力モードに変更される。コネクタの接続を継続すると、検出端子Ａが接触した後、信号端子が接触する（図１５（２））。このとき、信号メス端子は、従来の信号メス端子よりも短いことから接触するまでにより長い時間が必要となる。そのため、検出端子Ａの接触による出力モードから入力モードへの切替および状態遷移時間に対して、より余裕をもって信号端子の接触が行われるようになる。
【００７５】
更に、コネクタの接続を継続すると、信号端子が接触した後、検出端子Ｂが接触する（図１５（３））。検出端子Ｂの接触によりオスコネクタ側の出力制御端子が制御され、信号端子に信号が出力される。このとき、検出メス端子Ｂは、信号端子さらには検出メス端子Ａよりも短いことから接触するまでにより長い時間が必要となる。そのため、検出端子Ａの接触による出力モードから入力モードへの切替および状態遷移時間、更に信号端子が安定して接触するまでの時間に対して、より余裕をもって検出端子Ｂの接触が行われるようになる。
【００７６】
［第１１の実施形態］
図１６は、本発明の第１１の実施形態に係る電子計算機２０１の斜視図（一部分解図）である。図１７は、本発明の第１１の実施形態に係る電子計算機２０１のブロック図である。本発明の第１１の実施形態に係る電子計算機２０１では、第１０の実施形態における長さの異なる複数の検出端子を使用することによって、電子計算機の映像信号の入出力と外部電子計算機の出力とを時間差から制御する。更に、接続に応じて外部映像表示装置への出力と外部電子計算機の入力とを使い分ける。
【００７７】
第１１の実施形態に係る電子計算機２０１では、従来の外部映像出力インタフェースのある端子に対して、外部電子計算機２２２の接続を検出する入力信号と、外部電子計算機２２２の映像出力制御端子を制御する信号とを割り当てる。前者の信号は、電子計算機２０１の映像入出力切替器２０６の切替信号Ａ２１８に接続されプルアップ抵抗が付加される。対応する外部電子計算機側の端子はグラウンドに接続される。他方、後者の信号は、外部電子計算機２２２の映像信号出力器の映像出力制御端子の検出端子Ｂ２３４に接続され（外部電子計算機で）プルダウン抵抗が付加される。対応する電子計算機側の端子は＋５ＶＤＣに接続される。
【００７８】
映像入出力切替器２０６は、切替信号Ａ２１８入力が“Ｈ”状態のとき映像出力信号Ｂを出力し、“Ｌ”状態のとき映像出力信号Ｂの出力を停止し入力状態となるものとする。外部電子計算機に搭載される映像信号出力器は、切替信号Ａ２１８入力が“Ｈ”状態のとき映像入力信号Ｂの出力を停止し、“Ｌ”状態のとき映像入力信号Ｂの出力を行うものとする。
【００７９】
図１７に示すように、コネクタ未接続時は切替信号Ａ２１８が“Ｈ”状態となり、電子計算機の映像入力信号Ａ２０８が映像入出力切替器２０６を経由して映像出力信号Ｂ２１０として出力され外部モニタ２１２に表示される。コネクタの接続を開始すると、まず検出端子Ａが接触し切替信号Ａ２１８が“Ｈ”状態から“Ｌ”状態に変化し、映像入出力切替器２０６は映像出力信号Ｂの出力を停止し、映像信号端子は入力状態となる。コネクタの接続を継続すると、映像信号端子が接触する。更に、コネクタの接続を継続すると、検出端子Ｂ２３４が接触し、“Ｌ”状態から“Ｈ”状態に変化し、外部電子計算機２２２の映像信号出力器から映像入力信号Ｂが出力され、映像信号端子を経由して電子計算機の本体モニタ２０２に表示される。図１８は、これら状態の推移をフローチャートで示したものである。
【００８０】
図１９は、第１１の実施形態を実現するＶＧＡ（ＶＥＳＡ  ＤＤＣ）端子配置の例の一覧表である。第１１の実施形態に係る電子計算機２０１では、従来の外部映像出力インタフェースで未使用もしくは予約として割り当てられた信号に対して、外部電子計算機２２２の接続を検出する入力信号と、外部電子計算機２２２の映像出力制御端子を制御する信号とを割り当てる。このことによって、既存の外部映像出力インタフェースに対して親和性を保ちながら拡張することが可能となる。
【００８１】
［第１２の実施形態］
図２０（１）は、本発明の第１２の実施形態に係る電子計算機における映像信号オスコネクタ２４４の概略の正面図である。本発明の第１２の実施形態は、上記の第１０の実施形態及び第１１の実施形態で取り上げた映像出力インタフェースの、特にコネクタに着目するものである。
【００８２】
図２０（１）に示すように、第１２の実施形態においては、誤挿入防止のためにコネクタに突起２４０を付加する。この突起２４０の存在により、第１２の実施形態に係る映像信号オスコネクタ２４４は、従来の映像信号メスコネクタ（図２１（２）参照）には物理的に接続されないことになる。このことにより誤挿入が防止される。更に、第１２の実施形態に係る映像信号オスコネクタ２４４は、突起２４０を受け入れるための鉤穴を備える映像信号メスコネクタ（図２１（１）参照）しか接続され得ないことになる。
【００８３】
一方、図２０（２）は、従来の映像信号オスコネクタの一例の概略正面図である。このオスコネクタには誤挿入防止のための突起が備わらない。従って、従来の映像信号メスコネクタと、突起２４０を受け入れるための鉤穴を備える映像信号メスコネクタ（図２１（１）参照）との、いずれにも接続できる。
【００８４】
［第１３の実施形態］
図２１（１）は、本発明の第１３の実施形態に係る電子計算機における映像信号メスコネクタ２４６の概略の正面図である。本発明の第１３の実施形態も、上記の第１０の実施形態及び第１１の実施形態で取り上げた映像出力インタフェースの、特にコネクタ部分に着目するものである。
【００８５】
図２１（１）に示すように、第１３の実施形態に係る映像信号メスコネクタおいては、第１２の実施形態で示した突起を受け入れるための鉤穴２４２が設けられている。この鉤穴２４２の存在により、第１３の実施形態に係る映像信号メスコネクタ２４６は、上記第１２の実施形態に係る映像信号オスコネクタ２４４を接続できることになる。
【００８６】
一方、図２１（２）は、従来の映像信号メスコネクタの一例の概略正面図である。このメスコネクタには、第１２の実施形態に係る映像信号オスコネクタ２４４の突起２４０を受け入れるための鉤穴がない。従って、図２１（２）の従来の映像信号メスコネクタは、従来の映像信号オスコネクタとのみ接続でき、突起を有する上記第１２の実施形態に係る映像信号オスコネクタとは接続できない。
【００８７】
［第１４の実施形態］
図２２は、本発明の第１４の実施形態に係る電子計算機及び外部電子計算機における映像信号メスコネクタ及び映像信号オスコネクタを利用する際の、電子計算機及び外部電子計算機に関するブロック図である。図２２の電子計算機及び外部電子計算機は、上記第１２の実施形態及び上記第１３の実施形態における映像信号（メス、オス）コネクタにより、接続されるものである。従って、映像信号メスコネクタ２４６は検出端子と誤挿入防止のための鉤穴２４２を備え、同様に映像信号オスコネクタ２４４は検出端子と誤挿入防止のための突起２４０を備える。
【００８８】
図２２に示すように、外部映像出力インタフェースにおいて、誤挿入防止用のためにオスコネクタに突起を付加しメスコネクタに鉤穴を付加する。このことにより形成される検出端子に、外部電子計算機の接続を検出する入力信号を割り当てる。更に、この検出端子を電子計算機２０１の映像入出力切替器２０６の切替信号入力Ａ２１８に接続しプルアップ抵抗を付加し、対応する外部電子計算機側の端子はグラウンドに接続する。
【００８９】
映像入出力切替器２０６は、切替信号Ａ２１８が“Ｈ”状態のとき映像出力信号Ｂを出力し、“Ｌ”状態のとき映像出力信号Ｂの出力を停止して入力状態となるとされる。従って、コネクタ未接続時は、切替信号Ａ２１８が“Ｈ”状態であり、電子計算機２０１の映像入出力切替器２０６を経由して映像出力信号Ｂが出力され外部モニタ２１２に表示される。
【００９０】
コネクタ接続時には、突起２４０および鉤穴２４０が接触して切替信号Ａ２１８が“Ｈ”状態から“Ｌ”状態に変化する。これにより映像入出力切替器２０６は映像出力信号Ｂの出力を停止し、映像信号端子は入力状態となる。このとき、外部電子計算機２２２から出力された映像入力信号Ｂが電子計算機２０１の映像信号端子に入力され電子計算機の出力装置２０２に表示される。
【００９１】
図２３は、本発明の第１４の実施形態における映像信号メスコネクタ、又は従来の映像信号メスコネクタと、本発明の第１４の実施形態における映像信号オスコネクタ、又は従来の映像信号オスコネクタとの、接続の様子を示す。
【００９２】
従来の映像信号オスコネクタ２４４’は、鉤穴付き映像信号メスコネクタ２４６、及び従来の映像信号メスコネクタ２４６’に接続可能である。
【００９３】
突起付きオスコネクタ２４４は、従来の映像信号メスコネクタに接続することはできない。これにより従来の電子計算機は、本発明に係る外部電子計算機２２２の映像信号を受け入れることがない。一方、突起付きオスコネクタ２４４は、鉤穴付きメスコネクタ２４６に接続する。
【００９４】
これらのことにより、従来の外部モニタへの接続における互換性が保持され、且つ、本発明に係る外部電子計算機２２２が従来の電子計算機へ接続し誤動作させることが、防止され得る。
【００９５】
［第１５の実施形態］
図２４は、本発明の第１５の実施形態に係る電子計算機及び外部電子計算機における映像信号メスコネクタ及び映像信号オスコネクタの概略の正面図である。図２４の映像信号メスコネクタ及び映像信号オスコネクタにおいては、原則的に信号割り当てを既存のものと同一（２４４’、２４６’）とし、拡張された接続検出（認識）信号および入力装置信号に対してはコネクタが追加されている（２４４α、２４６α）。
【００９６】
図２４に示すコネクタにおいて、既存の映像信号コネクタを有する外部モニタを接続する場合、映像信号コネクタの既存の互換部分を介して、電子計算機２０１の映像を外部モニタに表示することができる。
【００９７】
本発明に係る外部電子計算機を接続する場合、映像信号コネクタの既存の互換部分に加えて、追加部分のコネクタも利用する。このことにより、本発明に係る電子計算機と外部電子計算機が信号を正しく遣り取りできる。つまり、接続された検出信号が電子計算機２０１の入力装置出力切替および映像信号入出力切替器２０６を操作するため、電子計算機２０１の入力装置の信号を外部電子計算機２２２に入力することが可能となり、外部電子計算機２２２の映像を電子計算機２０１の出力装置２０２に表示することが可能となる。
【００９８】
［第１６の実施形態］
図２５は、本発明の第１６の実施形態に係る電子計算機及び外部電子計算機における映像信号メスコネクタ及び映像信号オスコネクタの概略の正面図であり、第１５の実施形態の具体的な例である。第１５の実施形態の説明から明らかなように、第１６の実施形態におけるコネクタは、拡張された接続検出（認識）信号および入力装置信号に対するコネクタと既存の映像信号コネクタを統合したコネクタであり、外部電子計算機を使用する場合に単一のコネクタで対応することができる。
【００９９】
図２６は、本発明の第１６の実施形態に係る電子計算機における端子配置を示す一覧表である。図２６の表では、ＰＳ／２のＤＡＴＡおよびＣＬＫの入力装置信号が、拡張端子Ｅ３及びＥ５に割り当てられ、外部ＰＣ映像信号イネーブル信号と外部ＰＣ接続認識信号が、拡張端子Ｅ１及びＥ２に割り当てられている。映像信号に関しては既存のＶＧＡ端子配置のままである。
【０１００】
第１６の実施の形態において、既存の映像信号コネクタを有する外部モニタを接続する場合、映像信号コネクタは従来と同一であるため、電子計算機は従来の端子配置との互換性を保ちながら映像を表示させることが可能となる。また、本発明に係る外部電子計算機２２２を接続する場合、拡張された接続検出（認識）信号及び入力装置信号、及び映像信号に関する端子を有する拡張コネクタが用いられる。このとき、電子計算機２０１の入力装置の信号を外部電子計算機２２２に入力することが可能となり、拡張コネクタ部分の検出信号が電子計算機２０１の入力装置出力切替および映像信号入出力切替器２０６を操作するため外部電子計算機２２２の映像を電子計算機２０１の出力装置２０２に表示することが可能となる。
【０１０１】
［第１７の実施形態］
図２７は、本発明の第１７の実施形態に係る電子計算機２０１の斜視図（一部分解図）である。本発明の第１７の実施形態では、電子計算機２０１に接続した外部電子計算機２２２から、電子計算機２０１の内蔵機器、及び電子計算機２０１に接続した外部周辺機器を利用できるようになっている。例として、電子計算機２０１の入力装置信号の外部電子計算機２２２への出力インタフェースとしてＵＳＢインタフェースを使用するもの、及び、入出力装置出力切替器２０６にＵＳＢ集線装置（ハブ）を統合するものを想定する。
【０１０２】
外部電子計算機２２２が接続されていない場合、切替信号Ｂ２２０が非アクティブとなっており、入力装置入力２２４が電子計算機の入力装置出力Ａ２２６に出力される。このとき、集線装置（２０６）に接続された内部機器２５０、及び外部周辺機器２５２を、入力装置出力Ａ２２６に接続状態としてもよい。
【０１０３】
外部電子計算機２２２が接続された場合、切替信号Ｂ２２０がアクティブとなり、入力装置入力２２４が電子計算機２０１の入力装置出力Ｂ２２８に出力され、外部電子計算機２２２に入力される。このとき、集線装置（２０６）に接続された内部機器２５０及び外部周辺機器２５２が入力装置出力Ｂ２２８に接続状態とされている。これによって、電子計算機２０１の入力装置だけでなく、内部機器２５０及び外部周辺機器２５２も外部電子計算機２２２にて利用され得ることになる。このとき、集線装置（２０６）に接続された内部機器２０５及び外部周辺機器２５２を入力装置出力Ｂ２２８に接続状態とするかどうかを別の切替信号を利用して決定してもよい。
【０１０４】
［第１８の実施形態］
図２８は、本発明の第１８の実施形態に係る電子計算機、外部電子計算機、及び中継器におけるコネクタに関するブロック図である。第１８の実施形態では、電子計算機２０１に従来の外部電子計算機２２２’を接続する場合、両者の間に中継器２６０を配置する。
【０１０５】
これまでの記述から、本発明に係る電子計算機２０１は、本発明に係る外部電子計算機２２２と接続することが前提となっていることは明白である。従って、本発明に係る電子計算機に、従来の外部電子計算機２２２を接続した場合、予定された動作が行われないことが想定され得る。この不都合を解消するために中継器２６０が設けられる。
【０１０６】
中継器２６０は、外部電子計算機２２２’から入力された映像信号の出力を制御する中継装置２６２が搭載されている。該中継装置２６２は、プルアップ抵抗が付加されている切替信号入力Ｂが“Ｌ”状態の場合に、外部電子計算機２２２’の映像信号を電子計算機２０１側に出力し、“Ｈ”状態の場合には出力しないものとする。また、中継器２６０では、電子計算機と接続した場合プルアップ抵抗が付加された切替信号入力Ａに接続される信号が、グラウンドに接続されている。
【０１０７】
中継器２６０は、電子計算機２０１から映像信号インタフェースに割り当てられた入力装置信号を、従来の入力装置インタフェースに分離することが可能となっている。また、中継器２６０は、本発明の電子計算機２０１以外への接続を防止するための誤挿入防止用のコネクタが使用されている。即ち、従来の外部電子計算機２２２’を中継器２６０に接続し、中継器を本発明に係る電子計算機２０１に接続することによって、従来の外部電子計算機２２２’を本発明の外部電子計算機２２２と、同等のものにすることができる。
【０１０８】
また、中継器２６０の切替信号入力Ａ及び切替信号入力Ｂに接続・切断を行う切替スイッチ（図示せず）を配置し、中継器２６０上の該切替スイッチの手動により、電子計算機２０１本体の映像出力装置の出力の切替を行うようにしてもよい。
【０１０９】
［第１９の実施形態］
第１９の実施形態は、第１、第２、第５、第６、第８、第１０、第１１、第１２、第１３、及び第１４の実施形態の特徴を統合した映像信号インタフェースコネクタに係るものである。図２９は、本発明の第１９の実施形態に係る電子計算機及び外部電子計算機における映像信号メスコネクタ及び映像信号オスコネクタの概略の正面図である。図３０は、本発明の第１９の実施形態に係るＶＧＡ端子配置の一例を示す。
【０１１０】
第１９の実施形態における映像信号コネクタの誤挿入防止用突起及び鉤穴は、外部電子計算機２２２接続の検出端子として割り当てられている。該端子は、コネクタ接続時に他のすべての端子が接続する前に、接触するようにされており、このため、電子計算機２０１の映像入出力切替装置の入出力を制御する切替信号Ａが、先ず“Ｈ”状態から“Ｌ”状態に変化する。これにより、外部モニタへの映像信号出力が停止され入力モードへ変更することが可能となる。
【０１１１】
映像信号コネクタに誤挿入防止用突起及び鉤穴が設けられていることから、従来の映像信号オスコネクタを有する外部モニタは接続可能である。但し、従来の映像信号メスコネクタを有するノート型電子計算機には接続され得ないことになる。
【０１１２】
また、コネクタ接続時に＋５ＶＤＣ端子は、他の端子より短くされ、外部電子計算機接続の検出端子として割り当てられている。つまり、他のすべての端子が接続した後にここでの端子が接触する。このことによって外部電子計算機の出力を制御する切替信号Ｂが“Ｌ”状態から“Ｈ”状態に変化し、外部電子計算機の映像信号が電子計算機に入力され出力装置に表示される。
【０１１３】
更に、ＰＳ／２のＤＡＴＡおよびＣＬＫの入力装置信号を端子４の予約信号および端子１５の通常未使用であるＩＤ０信号に割り当てることによって、電子計算機の入力装置信号を外部電子計算機に接続することが可能となる。
【０１１４】
このように映像信号インタフェースコネクタにおいて、検出信号を兼ねる誤挿入防止用突起及び鉤穴が設けられ、未使用および予約として割り当てられた信号に対して外部電子計算機で使用する入力装置信号が割り当てられ、更に、既に＋５ＶＤＣとして割り当てられた端子に対して、外部電子計算機の出力を制御する信号を割り当てることによって、既存の外部映像出力インタフェースに対して親和性を保ちながら機能を拡張することが可能となる
【０１１５】
［第２０の実施形態］
第２０の実施形態は、第１、第２、第３、第６、及び第８の実施形態の特徴を統合した映像信号インタフェースコネクタに係るものである。図３１は、本発明の第２０の実施形態に係る電子計算機及び外部電子計算機における映像信号メスコネクタ及び映像信号オスコネクタの概略の正面図である。図３２は、本発明の第２４の実施形態に係るＶＧＡ端子配置の一例を示す。
【０１１６】
第２０の実施形態における映像信号コネクタの＋５ＶＤＣ端子は、＋５Ｖのプルアップ抵抗を有した外部電子計算機２２２接続の検出端子として割り当てられている。該端子は、コネクタ接続時に他のすべての端子が接続する前に、接触するようにされており、このため、電子計算機２０１の映像入出力切替装置の入出力を制御する切替信号Ａが、先ず“Ｈ”状態から“Ｌ”状態に変化する。これにより、外部モニタへの映像信号出力が停止され入力モードへ変更することが可能となる。更に、映像信号の端子が接続した後に、外部電子計算機の映像信号が電子計算機に入力され出力装置に表示される。
【０１１７】
更に、ＰＳ／２のＤＡＴＡ及びＣＬＫの入力装置信号を端子４の予約信号および端子１５の通常未使用であるＩＤ０信号に割り当てることによって、電子計算機の入力装置信号を外部電子計算機に接続することが可能となる。
【０１１８】
このように映像信号インタフェースコネクタにおいて、未使用および予約として割り当てられた信号に対して外部電子計算機で使用する入力装置信号が割り当てられ、更に、既に＋５ＶＤＣとして割り当てられた端子に対して５Ｖ電源へのプルアップ抵抗を有した外部電子計算機の接続を検出する入力信号を割り当てることによって、従来と同一のコネクタを有しつつ、既存の外部映像出力インタフェースに対して親和性を保って、機能を拡張することが可能となる。
【図面の簡単な説明】
【０１１９】
【図１】本発明の第１の実施形態と対比されるべき従来のノート型電子計算機の斜視図（一部分解図）である。
【図２】本発明の第１の実施形態に係る電子計算機の斜視図（一部分解図）である。
【図３】本発明の第２の実施形態に係る電子計算機の斜視図（一部分解図）である。
【図４】従来の一つのインタフェースであるＶＧＡコネクタに割り当てられた端子および信号の割り当ての一覧表である。
【図５】本発明の第３の実施形態に係るＶＧＡ（ＶＥＳＡ  ＤＤＣ）端子配置の一覧表である。
【図６】本発明の第４の実施形態に係るＶＧＡ（ＶＥＳＡ  ＤＤＣ）端子配置の一覧表である。
【図７】本発明の第５の実施形態に係るＶＧＡ（ＶＥＳＡ  ＤＤＣ）端子配置の一覧表である。
【図８】本発明の第６の実施形態に係る電子計算機の斜視図（一部分解図）である。
【図９】本発明の第７の実施形態に係る電子計算機の斜視図（一部分解図）である。
【図１０】本発明の第７の実施形態に係る電子計算機の斜視図（一部分解図）である。
【図１１】本発明の第８の実施形態に係る電子計算機の斜視図（一部分解図）である。
【図１２】本発明の第８の実施形態に係るＶＧＡ（ＶＥＳＡ  ＤＤＣ）端子配置の一覧表である。
【図１３】本発明の第９の実施形態に係るＶＧＡ（ＶＥＳＡ  ＤＤＣ）端子配置の一覧表である。
【図１４】従来の検出端子を有するコネクタの模式図（図１４（１））、及び、本発明の第１０の実施形態に係る電子計算機における検出端子を有するコネクタの模式図（図１４（２））である。
【図１５】本発明の第１０の実施形態に係る電子計算機における検出端子を有するコネクタの模式図である。
【図１６】本発明の第１１の実施形態に係る電子計算機の斜視図（一部分解図）である。
【図１７】本発明の第１１の実施形態に係る電子計算機のブロック図である。
【図１８】本発明の第１１の実施形態に係る電子計算機における状態の推移を示すフローチャートである。
【図１９】本発明の第１１の実施形態を実現するＶＧＡ（ＶＥＳＡ  ＤＤＣ）端子配置の例の一覧表である。
【図２０】本発明の第１２の実施形態に係る電子計算機における映像信号オスコネクタ２４４の概略の正面図（図２０（１））と、従来の映像信号オスコネクタの一例の概略正面図（図２０（２））である。
【図２１】本発明の第１３の実施形態に係る電子計算機における映像信号メスコネクタ２４６の概略の正面図（図２１（１））と、従来の映像信号メスコネクタの一例の概略正面図（図２１（２））である。
【図２２】本発明の第１４の実施形態に係る電子計算機及び外部電子計算機における映像信号メスコネクタ及び映像信号オスコネクタを利用する際の、電子計算機及び外部電子計算機に関するブロック図である。
【図２３】本発明の第１４の実施形態における映像信号メスコネクタ、又は従来の映像信号メスコネクタと、本発明の第１４の実施形態における映像信号オスコネクタ、又は従来の映像信号オスコネクタとの、接続の様子を示す図である。
【図２４】本発明の第１５の実施形態に係る電子計算機及び外部電子計算機における映像信号メスコネクタ及び映像信号オスコネクタの概略の正面図である。
【図２５】本発明の第１６の実施形態に係る電子計算機及び外部電子計算機における映像信号メスコネクタ及び映像信号オスコネクタの概略の正面図であり、第１５の実施形態の具体的な例である。
【図２６】本発明の第１６の実施形態に係る電子計算機における端子配置を示すテーブルである。
【図２７】本発明の第１７の実施形態に係る電子計算機の斜視図（一部分解図）である。
【図２８】本発明の第１８の実施形態に係る電子計算機、外部電子計算機、及び中継器におけるコネクタに関するブロック図である。
【図２９】本発明の第１９の実施形態に係る電子計算機及び外部電子計算機における映像信号メスコネクタ及び映像信号オスコネクタの概略の正面図である。
【図３０】本発明の第１９の実施形態に係るＶＧＡ端子配置の一例を示す図である。
【図３１】本発明の第２０の実施形態に係る電子計算機及び外部電子計算機における映像信号メスコネクタ及び映像信号オスコネクタの概略の正面図である。
【図３２】本発明の第２０の実施形態に係るＶＧＡ端子配置の一例を示す図である。
【符号の説明】
【０１２０】
２０１・・・電子計算機、２０４・・・入力装置、２０６・・・切替装置、２１２・・・外部映像出力装置、２２２・・・外部電子計算機。
【図１】
2007226723.tif 000003
【図２】
2007226723.tif 000004
【図３】
2007226723.tif 000005
【図４】
2007226723.tif 000006
【図５】
2007226723.tif 000007
【図６】
2007226723.tif 000008
【図７】
2007226723.tif 000009
【図８】
2007226723.tif 000010
【図９】
2007226723.tif 000011
【図１０】
2007226723.tif 000012
【図１１】
2007226723.tif 000013
【図１２】
2007226723.tif 000014
【図１３】
2007226723.tif 000015
【図１４】
2007226723.tif 000016
【図１５】
2007226723.tif 000017
【図１６】
2007226723.tif 000018
【図１７】
2007226723.tif 000019
【図１８】
2007226723.tif 000020
【図１９】
2007226723.tif 000021
【図２０】
2007226723.tif 000022
【図２１】
2007226723.tif 000023
【図２２】
2007226723.tif 000024
【図２３】
2007226723.tif 000025
【図２４】
2007226723.tif 000026
【図２５】
2007226723.tif 000027
【図２６】
2007226723.tif 000028
【図２７】
2007226723.tif 000029
【図２８】
2007226723.tif 000030
【図２９】
2007226723.tif 000031
【図３０】
2007226723.tif 000032
【図３１】
2007226723.tif 000033
【図３２】
2007226723.tif 000034